(57)【要約】【課題】原稿を載せる載置部に原稿を置き忘れたか否かを検出できるようにすること。【解決手段】画像データを読み取る読取部、及び、読取部で画像データを読み取る原稿を載せる載置部を備える画像読取部１２２と、載置部に原稿が載せられていない状態で、読取部により読み取られた画像データである原稿無し画像データを記憶する補助記憶装置１４６と、読取部が載置部に載せられた原稿の画像データを読み取った後に、読取部に、画像データを読み取らせる第１予備読取処理を行わせるとともに、第１予備読取処理で読み取られた画像データと、原稿無し画像データとを比較することで、載置部に原稿が残っているか否かを検知するＣＰＵ１４２と、を備える。【選択図】図４
2015026979.tif 000002
【特許請求の範囲】
【請求項１】
画像データを読み取る読取部と、
前記読取部で画像データを読み取る原稿を載せる載置部と、
前記載置部に原稿が載せられていない状態で、前記読取部により読み取られた画像データである原稿無し画像データを記憶する記憶部と、
前記読取部が前記載置部に載せられた原稿の画像データを読み取った後に、前記読取部に、画像データを読み取らせる第１予備読取処理を行わせるとともに、当該第１予備読取処理で読み取られた画像データと、前記原稿無し画像データとを比較することで、前記載置部に原稿が残っているか否かを検知する制御部と、を備えること
を特徴とする画像読取装置。
【請求項２】
前記載置部に載せられた原稿を押さえるために、前記載置部に対して開閉自在にされている原稿押さえ部材をさらに備え、
前記原稿無し画像データは、前記載置部に対して前記原稿押さえ部材が閉じられた状態において、前記読取部で読み取られた画像データであること
を特徴とする請求項１に記載の画像読取装置。
【請求項３】
画像を表示する表示部をさらに備え、
前記制御部は、前記読取部が前記載置部に載せられた原稿の画像データを読み取った後に、前記表示部に前記載置部に載せられた原稿の除去を促す警告画面を表示させること
を特徴とする請求項１又は２に記載の画像読取装置。
【請求項４】
前記制御部は、前記載置部に原稿が残っていないことを検知した場合には、前記表示部に、前記警告画面の表示を止めさせること
を特徴とする請求項３に記載の画像読取装置。
【請求項５】
時間を計測する時間計測部をさらに備え、
前記制御部は、前記読取部が前記載置部に載せられた原稿の画像データを読み取った後から前記時間計測部により計測された時間が予め定められた閾値時間となった場合に、前記読取部に前記第１予備読取処理を行わせて、前記載置部に原稿が残っているか否かを検知すること
を特徴とする請求項１から４の何れか一項に記載の画像読取装置。
【請求項６】
使用者からの入力を受け付ける入力部をさらに備え、
前記制御部は、前記読取部が前記載置部に載せられた原稿の画像データを読み取った後から前記時間計測部により計測された時間が予め定められた閾値時間となる前に、前記入力部に、前記載置部に載せられた原稿を除去したことを示す入力が行われた場合には、前記表示部に、前記警告画面の表示を止めさせるとともに、前記読取部に前記第１予備読取処理を行わせず、前記載置部に原稿が残っているか否かも検知しないこと
を特徴とする請求項５に記載の画像読取装置。
【請求項７】
前記制御部は、前記載置部に原稿が残っていないことを検知した場合には、前記記憶部に記憶されている原稿無し画像データを、前記第１予備読取処理で読み取られた画像データで更新すること
を特徴とする請求項１から６の何れか一項に記載の画像読取装置。
【請求項８】
前記制御部は、前記読取部が前記載置部に載せられた原稿の画像データを読み取った後から前記時間計測部により計測された時間が予め定められた閾値時間となる前に、前記入力部に、前記載置部に載せられた原稿を除去したことを示す入力が行われた場合には、前記読取部に、画像データを読み取らせる第２予備読取処理を行わせ、前記記憶部に記憶されている原稿無し画像データを、当該第２予備読取処理で読み取られた画像データで更新すること
を特徴とする請求項６に記載の画像読取装置。
【請求項９】
前記読取部は、前記第１予備読取処理で特定の領域の画像データを読み取り、
前記制御部は、前記第１予備読取処理において読み取られた画像データと、前記原稿無し画像データの内の前記特定の領域に対応する領域のデータとを比較することで、前記載置部に原稿が残っているか否かを検知すること
を特徴とする請求項１から８の何れか一項に記載の画像読取装置。
【請求項１０】
前記読取部は、前記第１予備読取処理において、予め定められた行間隔で画像データの読み込みを行うこと、
を特徴とする請求項９に記載の画像読取装置。
【請求項１１】
前記制御部は、前記第１予備読取処理で読み取られた画像データが予め定められたパターンのデータになった場合には、前記載置部に対して前記原稿押さえ部材が開かれた状態であることを検知すること
を特徴とする請求項２に記載の画像読取装置。
【請求項１２】
前記制御部は、前記第１予備読取処理で読み取られた画像データにより示される黒の画像領域が予め定められた割合を超えた場合に、前記載置部に対して前記原稿押さえ部材が開かれた状態であることを検知すること
を特徴とする請求項１１に記載の画像読取装置。
【請求項１３】
前記制御部は、前記第１予備読取処理で読み取られた画像データにより示される白の画像領域が予め定められた割合未満となった場合に、前記載置部に対して前記原稿押さえ部材が開かれた状態であることを検知すること
を特徴とする請求項１１に記載の画像読取装置。
【請求項１４】
載置部に載せられた原稿の画像データを読み取る画像読取過程と、
前記画像読取過程の後に、前記載置部に原稿が残っているか否かを検出するために、画像データを読み取る予備読取過程と、
前記予備読取過程で読み取られた画像データと、前記載置部に原稿が載せられていない状態で読み取られた画像データである原稿無し画像データとを比較することで、前記載置部に原稿が残っているか否かを検知する検知過程と、を有すること
を特徴とする画像読取方法。
【発明の詳細な説明】
【技術分野】
【０００１】
本発明は、画像読取装置及び画像読取方法に関する。
【背景技術】
【０００２】
原稿台カバーの開閉を検知するセンサを備える画像読取装置が従来からある。例えば、特許文献１には、原稿台カバーの開閉を検知するセンサを用いて、原稿台カバーの開閉時間をチェックすることで、原稿台に原稿をセットし忘れた可能性が高い場合に、利用者に報知する画像読取装置が記載されている。
【先行技術文献】
【特許文献】
【０００３】
【特許文献１】特開２０１０−１１８７３５号公報
【発明の概要】
【発明が解決しようとする課題】
【０００４】
従来の画像読取装置は、原稿台カバーの開閉をチェックすることはできるが、原稿台に原稿を置き忘れたか否かを検出することはできない。
そこで、本発明は、原稿を載せる載置部に原稿が置き忘れられたか否かを検出できるようにすることを目的とする。
【課題を解決するための手段】
【０００５】
本発明の一態様に係る画像読取装置は、画像データを読み取る読取部と、前記読取部で画像データを読み取る原稿を載せる載置部と、前記載置部に原稿が載せられていない状態で、前記読取部により読み取られた画像データである原稿無し画像データを記憶する記憶部と、前記読取部が前記載置部に載せられた原稿の画像データを読み取った後に、前記読取部に、画像データを読み取らせる第１予備読取処理を行わせるとともに、当該第１予備読取処理で読み取られた画像データと、前記原稿無し画像データとを比較することで、前記載置部に原稿が残っているか否かを検知する制御部と、を備えることを特徴とする。
【０００６】
本発明の一態様に係る画像読取方法は、載置部に載せられた原稿の画像データを読み取る画像読取過程と、前記画像読取過程の後に、前記載置部に原稿が載せられているか否かを検出するために、画像データを読み取る予備読取過程と、前記予備読取過程で読み取られた画像データと、前記載置部に原稿が載せられていない状態で読み取られた画像データである原稿無し画像データとを比較することで、前記載置部に原稿が残っているか否かを検知する検知過程と、を有することを特徴とする。
【発明の効果】
【０００７】
本発明の一態様によれば、原稿を載せる載置部に原稿が置き忘れられたか否かを検出することができる。
【図面の簡単な説明】
【０００８】
【図１】実施の形態１及び２に係る画像読取装置としての複写装置を概略的に示す外観図である。
【図２】実施の形態１及び２におけるスキャナの外部構造を概略的に示す外観図である。
【図３】実施の形態１及び２におけるスキャナの内部構造を概略的に示す縦断面図である。
【図４】実施の形態１及び２におけるスキャナの構成を説明するブロック図である。
【図５】実施の形態１におけるスキャナの動作を示すフローチャートである。
【図６】（Ａ）〜（Ｄ）は、実施の形態１におけるディスプレイに表示される第１の画面例〜第４の画面例を示す概略図である。
【図７】（Ａ）及び（Ｂ）は、実施の形態１における予備読取画像データの第１の例及び第２の例を示す概略図である。
【図８】実施の形態２におけるスキャナの動作を示すフローチャートである。
【図９】（Ａ）及び（Ｂ）は、実施の形態２における予備読取画像データの第３の例及び第４の例を示す概略図である。
【発明を実施するための形態】
【０００９】
実施の形態１．
（構成の説明）
図１は、実施の形態１に係る複写装置１００を概略的に示す外観図である。なお、実施の形態１では、複写装置１００は、画像読取装置の一例である。複写装置１００は、スキャナ１１０と、プリンタ１７０とを備える。なお、図１の括弧内の符号は、実施の形態２における構成を示している。
【００１０】
スキャナ１１０は、原稿から画像データを読み取る。
プリンタは、スキャナ１１０で読み取られた画像データに基づいて、画像を紙媒体上に形成する。
【００１１】
図２は、スキャナ１１０の外部構造を概略的に示す外観図である。
スキャナ１１０は、自動原稿給紙部１２１と、画像読取部１２２と、コントロールパネル１２３とを備える。
画像読取部１２２の上部に、自動原稿給紙部１２１が開閉自在に配置されている。
コントロールパネル１２３は、使用者の操作装置であるユーザインターフェース１２４と、表示装置であるディスプレイ１２５とを備える。言い換えると、コントロールパネル１２３は、使用者からの入力を受け付ける入力部（ユーザインターフェース１２４）と、画面を表示する表示部（ディスプレイ１２５）とを備える。
画像読取部１２２の上部には、原稿１８０を載せるプラテンガラス１２６が配置されている。プラテンガラス１２６は、原稿１８０を載せる載置部である。
自動原稿給紙部１２１のプラテンガラス１２６に対向する面には、原稿押さえ部材１２７が配置されている。自動原稿給紙部１２１が画像読取部１２２に対して開閉自在にされていることで、原稿押さえ部材１２７は、プラテンガラス１２６に対して開閉自在にされている。これにより、原稿押さえ部材１２７は、プラテンガラス１２６に載せられた原稿を上から押さえることができる。
【００１２】
図３は、スキャナ１１０の内部構造を概略的に示す縦断面図である。
画像読取部１２２は、プラテンガラス１２６と、ステッピングモータ１３０と、駆動ベルト１３１と、読取部１３２と、プーリー１３３と、白色基準板１３４と、ホームセンサ１３５とを備える。自動原稿給紙部１２１は、原稿圧板１３６と、白色シート１３７とを備える。
【００１３】
ステッピングモータ１３０は、駆動ベルト１３１と接続され、ステッピングモータ１３０の回転は、駆動ベルト１３１に伝達される。
駆動ベルト１３１は、ステッピングモータ１３０と、プーリー１３３とに張り渡されている。駆動ベルト１３１には、読取部１３２が固定されており、ステッピングモータ１３０の回転により、読取部１３２をプラテンガラス１２６に沿って移動させる。なお、読取部１３２が所定の位置に移動したことを検出する様にホームセンサ１３５が配置されている。
【００１４】
読取部１３２は、光源１３２ａと、反射ミラー１３２ｂ１、１３２ｂ２と、レンズ１３２ｃと、ＣＣＤ（Ｃｈａｒｇｅ  Ｃｏｕｐｌｅｄ  Ｄｅｖｉｃｅ）センサ１３２ｄとを備える。
光源１３２ａは、プラテンガラス１２６上に置かれた原稿に、光を照射する。
反射ミラー１３２ｂ１、１３２ｂ２は、原稿で反射した光の光路を変更する。
レンズ１３２ｃは、反射ミラー１３２ｂ１、１３２ｂ２で光路が変更された光を集光する。
ＣＣＤセンサ１３２ｄは、レンズ１３２ｃで集光された光を光電変換し、画像に応じた電圧を発生する撮像素子である。
そして、読取部１３２は、ステッピングモータ１３０の回転に伴って動作する駆動ベルト１３１により原稿台に沿って移動し、プラテンガラス１２６上の原稿を走査して原稿全面の画像データを得る様に構成されている。
【００１５】
白色基準板１３４は、ＣＣＤセンサ１３２ｄの素子が出力する電圧のばらつきを平滑化するためのシェーディング補正処理時に、基準となるセンサ出力データを取得する際に読み取られるもので、原稿台の読み取り範囲外に配置されている。
便宜上、原稿圧板１３６と白色シート１３７とを合わせて原稿押さえ部材１２７とする。
【００１６】
図４は、実施の形態１におけるスキャナ１１０の構成を説明するブロック図である。
スキャナ１１０は、データ通信バス１９０を介して、プリンタ１７０と接続されている。なお、スキャナ１１０は、データ通信バス１９０を介して、ＰＣ１９１又は外部記憶装置１９２と接続されていてもよい。データ通信バス１９０は、例えば、ＵＳＢ（Ｕｎｉｖｅｒｓａｌ  Ｓｅｒｉａｌ  Ｂｕｓ）インターフェース又はＬＡＮ（Ｌｏｃａｌ  Ａｒｅａ  Ｎｅｔｗｏｒｋ）で構成される。また、外部記憶装置１９２は、例えば、ＵＳＢメモリ等である。
【００１７】
スキャナ１１０は、自動原稿給紙部１２１と、画像読取部１２２と、コントロールパネル１２３と、画像処理部１４１と、制御部としてのＣＰＵ１４２と、ＲＯＭ１４３と、メモリ１４４と、インターフェース部（以下、Ｉ／Ｆ部という）１４５と、記憶部としての補助記憶装置１４６と、時間計測部としてのタイマ１４７と、個人認証装置１４８とを備える。これらは、バス１４９に接続されている。なお、図４の括弧内の符号は、実施の形態２における構成を示している。
【００１８】
自動原稿給紙部１２１は、セットされた原稿を画像読取部１２２に自動的に送る装置である。
画像読取部１２２は、原稿から画像データを読み取る。図３に示されているように、画像読取装置は、画像データを読み取る読取部１３２と、読取部１３２で画像データを読み取る原稿を載せるプラテンガラス１２６とを備える。ここで、読取部１３２は、プラテンガラス１２６に載置された原稿の画像データを読み取る通常の読取処理を行うとともに、プラテンガラス１２６に原稿が載置されているか否かを検出するために画像データを読み取る予備読取処理を行う。
コントロールパネル１２３は、ユーザからの動作指示の入力を受け付け、さらに、状態等の表示を行う。
画像処理部１４１は、画像読取部１２２で読み取られた画像データに対して、シェーディング補正処理、圧縮処理及びガンマ補正等の画像処理を行う。各々の画像処理については説明を省略する。
ＣＰＵ１４２は、不揮発記憶装置であるＲＯＭ１４３に格納された制御プログラムに基づいて、スキャナ１１０全体の制御を行う中央演算処理装置である。
メモリ１４４は、通常動作時に読み取られた画像データ及び予備読取処理時に読み取られた画像データの一時蓄積、並びに、制御プログラムの一時格納に使われる一時記憶部である。
Ｉ／Ｆ部１４５は、データ通信バス１９０との間でデータの送受信を行う。
補助記憶装置１４６は、画像読取部１２２のプラテンガラス１２６に原稿が載せられていない状態で、画像読取部１２２の読取部１３２で読み取られた画像データである原稿無し画像データ１４６ａを記憶する不揮発性記憶装置である。ここで、原稿無し画像データ１４６ａは、プラテンガラス１２６に原稿が載せられていない状態で、原稿押さえ部材１２７を閉じた際に読み取られた画像データである。このため、原稿無し画像データ１４６ａは、原稿押さえ部材１２７の画像データであり、白色シート１３７の画像データでもある。
タイマ１４７は、ＣＰＵ１４２からの起動命令によって時間計測を行う。
個人認証装置１４８は、認証を行うために、利用者の情報を取得する装置である。例えば、個人認証装置１４８は、ＩＣカードリーダ等で構成される。
バス１４９は、ＣＰＵ１４２が出力する命令や画像読取部１２２が生成した画像データを送受信するための通信路である。
【００１９】
（動作の説明）
次に、実施の形態１におけるスキャナ１１０の動作を説明する。
図５は、実施の形態１におけるスキャナ１１０の動作を示すフローチャートである。
ステップＳ１０では、ＣＰＵ１４２は、個人認証装置１４８を用いて、認証処理を行う。例えば、個人認証装置１４８にＩＣカードが設置されていないと、ＣＰＵ１４２は、ディスプレイ１２５に図６（Ａ）に示されているような、使用者にＩＣカードの設置を促す画面を表示させる。そして、使用者が個人認証装置１４８にＩＣカードを設置すると、個人認証装置１４８は、ＩＣカードから使用者のＥ−ｍａｉｌアドレスを読み取りメモリ１４４に一時保存させる。これにより、ＣＰＵ１４２は、読み取り可能な状態になったと判断し、ディスプレイ１２５に、図６（Ｂ）に示されているような、使用者に読み取り可能な状態になったことを示す画面を表示させ、利用者に読み取り可能であることを通知する。
【００２０】
ステップＳ１１では、使用者が原稿をプラテンガラス１２６上にのせ、ユーザインターフェース１２４によって読取指示を行うと、ＣＰＵ１４２は、読取処理を開始する。
【００２１】
ステップＳ１２では、ＣＰＵ１４２は、ディスプレイ１２５に、図６（Ｃ）に示されているような、読取動作中であることを示す画面を表示させ、画像読取部１２２は、読取部１３２によって、原稿全面の画像データを取得する。
【００２２】
ステップＳ１３では、ＣＰＵ１４２は、原稿読取が完了したか否かを判断する。原稿読取が完了した場合（Ｓ１３：Ｙｅｓ）には、処理はステップＳ１４に進む。
【００２３】
ステップＳ１４では、ＣＰＵ１４２は、ディスプレイ１２５に、図６（Ｄ）に示すような、プラテンガラス１２６上の原稿の除去を促す警告画面を表示させる。また、ＣＰＵ１４２は、タイマ１４７に対して、初期化及び起動指示を行う。このような指示を受けたタイマ１４７は、初期値（例えば、「０」）から計時を開始する。
【００２４】
ステップＳ１５では、ＣＰＵ１４２は、使用者がステップＳ１４でディスプレイ１２５に表示された警告に対して、ユーザインターフェース１２４に警告の解除を入力したか否かを判断する。ここでは、例えば、使用者は、プラテンガラス１２６上から原稿を取り除き、原稿が残っていないことを示す入力をユーザインターフェース１２４に行う。警告の解除が入力された場合（Ｓ１５：Ｙｅｓ）には、処理はステップＳ１９に進み、警告の解除が入力されていない場合（Ｓ１５：Ｎｏ）には、処理はステップＳ１６に進む。
【００２５】
ステップＳ１６では、ＣＰＵ１４２は、ステップＳ１４で警告を表示してからの経過時間が、予め定められた閾値時間となったか否かを判断する。例えば、タイマ１４７は、ステップＳ１４で、ＣＰＵ１４２から起動指示を受けてからの経過時間が、予め定められた時間となった場合には、ＣＰＵ１４２に、予め定められた時間となったことを通知する。そして、予め定められた時間が経過した場合（Ｓ１６：Ｙｅｓ）には、処理はステップＳ１７に進み、予め定められた時間が経過していない場合（Ｓ１６：Ｎｏ）には、処理はステップＳ１５に戻る。
【００２６】
ステップＳ１７では、ＣＰＵ１４２は、画像読取部１２２に対して、読取部１３２によって予備読取処理（第１予備読取処理）を行うように指示する。画像読取部１２２は、予備読取指示を受けると、読取部１３２にプラテンガラス１２６上の全面の画像データの読み取りを行わせる。そして、画像読取部１２２は、読み取られた画像データを、予備読取画像データとしてメモリ１４４に一時保存させる。
【００２７】
ステップＳ１８では、ＣＰＵ１４２は、補助記憶装置１４６に記憶されている原稿無し画像データ１４６ａと、ステップＳ１７で読み取られた予備読取画像データとを比較することで、原稿が残っているか否かを判断する。例えば、ＣＰＵ１４２は、対応する画素毎に、原稿無し画像データ１４６ａの画素値と、予備読取画像データの画素値との差分値を算出し、その差分値を合計した値を、これらのデータの差違とすればよい。そして、原稿無し画像データ１４６ａと、予備読取画像データとの間に、予め定められた閾値を超える差違がない場合には、ＣＰＵ１４６は、プラテンガラス１２６上に原稿が残っていないと判断する。一方、これらのデータの間に、予め定められた閾値を超える差違がある場合には、ＣＰＵ１４２は、プラテンガラス１２６上に原稿が残っていると判断する。例えば、プラテンガラス１２６上に原稿が残っている場合には、図７（Ａ）に示されているような予備読取画像データＩＭ１が読み取られる。一方、プラテンガラス１２６上に原稿が残っていない場合には、図７（Ｂ）に示されているような予備読取画像データＩＭ２が読み取られる。なお、補助記憶装置１４６に記憶されている原稿無し画像データ１４６ａは、図７（Ｂ）に示されている予備読取画像データＩＭ２と同様の画像データである。
ＣＰＵ１４２がプラテンガラス１２６上に原稿が残っていないと判断した場合（Ｓ１８：Ｎｏ）には、処理はステップＳ１９に進み、ＣＰＵ１４２がプラテンガラス１２６上に原稿が残っていると判断した場合（Ｓ１８：Ｙｅｓ）には、処理はステップＳ２０に進む。
【００２８】
ステップＳ１９では、ＣＰＵ１４２は、ディスプレイ１２５に、図６（Ｄ）に示されているような警告表示画面の表示を停止して、図６（Ｂ）に示されているような読取可能状態画面を再度表示するように指示を出す。また、同時に、ＣＰＵ１４２は、タイマ１４７に対して停止指示を行う。このような指示を受けたタイマ１４７は、ステップＳ１４で開始した計時を停止する。
【００２９】
一方、ステップＳ２０では、ＣＰＵ１４２は、タイマ１４７の計時を停止させ、計時された時間を初期化させて、再度、計時を開始させる。
【００３０】
ステップＳ２１では、ＣＰＵ１４２は、Ｉ／Ｆ部１４５を介して、メモリ１４４に保持された利用者のＥ−ｍａｉｌアドレス宛に、原稿が残っていることを通知するための警告情報を送る。その後、処理は、ステップＳ１５に戻る。
【００３１】
実施の形態１では、予備読取処理の開始タイミングは、タイマ１４７による読取完了時点からの所定の時間が経過したタイミングとしているが、このような例に限定されるものではない。例えば、スキャナ１１０で読み取られた画像データに基づいて、プリンタ１７０で印刷を実施する場合には、印刷の完了時であってもよい。また、データ通信バス１９０を介してＰＣ１９１に読み取られた画像データを送信する場合には、画像データの送信完了時であってもよい。さらに、複写装置１００に接続された外部記憶装置１９２に読み取られた画像データを記録させる場合には、外部記憶装置１９２における画像データの記録完了時であってもよい。さらにまた、原稿押さえ部材１２７の開閉状態を知ることができる機構を備えている場合には、読取完了後に開閉動作が行われた時であってもよい。
【００３２】
実施の形態１において、ステップＳ１７における比較のための予備読取処理では、プラテンガラス１２６上の全面の画像データが取得されているが、このような例に限定されるものではない。例えば、読取部１３２は、プラテンガラス１２６上の１又は複数の特定領域だけを読み取り、ＣＰＵ１４２は、原稿押さえ部材１２７の原稿無し画像データ１４６ａの同一箇所と比較してもよい。
ここで、特定領域の読み取りの例としては、所定の行間隔毎、言い換えると、副走査方向における所定の間隔毎に読取動作を行うことがあげられる。
また、このような場合には、原稿押さえ部材１２７の原稿無し画像データ１４６ａは、読み取りが行われる特定領域の画像だけを示すものであってもよい。
【００３３】
実施の形態１では、予備読取画像データと、原稿無し画像データ１４６ａとを比較をしてプラテンガラス１２６上に原稿があるかないかが判断されているが、例えば、ＣＰＵ１４２は、予備読取画像データが、所定のパターンになった場合に原稿押さえ部材１２７が開放されていることを検知し、Ｉ／Ｆ部１４５を介して、原稿押さえ部材１２７が開放されていることを使用者に通知することも可能である。
原稿押さえ部材１２７が開放されていることを検知する所定の画像パターンとしては、読み取られた画像データのうち黒の画像領域が所定の割合を超えている画像パターンであってもよく、また、白の画像領域が所定の割合未満になっている画像パターンであってもよい。
【００３４】
以上に記載された実施の形態１では、図５のステップＳ１５において、警告解除の指示が使用者により入力された場合には、ＣＰＵ１４２は、原稿が取り除かれたと判断しているが、このような例に限定されるものではない。例えば、図５のステップＳ１５において、警告解除の指示が使用者により入力された場合でも、ステップＳ１７に進み、予備読取処理が行われてもよい。このようにすることで、警告解除の指示を入力したが原稿を残したままの使用者に対しても、通知を行うことができる。
また、例えば、図５のステップＳ１５を行わずに、読み取りが完了した後（Ｓ１３：Ｙｅｓ）に、ステップＳ１４を経て、必ずステップＳ１６に処理が進むようにしてもよい。このような場合には、読み取りが完了した後、予め定められた時間が経過すると、必ず予備読取処理が行われ、原稿が残っているか否かが検知される。
【００３５】
以上のように、実施の形態１によれば、読取動作完了直後に原稿が残っていることを警告表示する機能を保有するため、使用者がプラテンガラス１２６上に原稿が置いてある状態を利用者が明示的に知ることができ、原稿の取り忘れを防止する効果が得られる。
また、所定のタイミングで予備読取処理を行い、原稿無し画像データ１４６ａと、予備読取処理で取得された予備読取画像データとに基づき原稿が有無を検知し、原稿が残っていない場合には、原稿が残っていることの警告表示を解除するため、不要な警告表示が出力され続けることを防ぐ効果が得られる。
また、予備読取処理で原稿があることを検知した場合に利用者の認証情報をもとに、別途使用者に原稿の置き忘れを通知することでセキュリティの向上が見込まれる。
【００３６】
実施の形態２．
（構成の説明）
図１に示されているように、実施の形態２に係る画像読取装置としての複写装置２００は、スキャナ２１０と、プリンタ１７０とを備える。実施の形態２に係る複写装置２００は、スキャナ２１０において実施の形態１に係る複写装置１００と異なっている。なお、実施の形態２におけるスキャナ２１０の外部構成及び内部構成は、図２及び図３のぞれぞれで示されている構成と同様である。
【００３７】
図４に示されているように、実施の形態２におけるスキャナ２１０は、コントロールパネル１２３と、画像読取部１２２と、画像処理部１４１と、ＣＰＵ２４２と、ＲＯＭ１４３と、メモリ１４４と、Ｉ／Ｆ部１４５と、補助記憶装置２４６と、タイマ１４７と、個人認証装置１４８とを備える。これらは、バス１４９に接続されている。実施の形態２におけるスキャナ２１０は、ＣＰＵ２４２での処理、及び、補助記憶装置２４６に記憶されているデータにおいて、実施の形態１におけるスキャナ１１０と異なっている。
【００３８】
ＣＰＵ２４２は、実施の形態１と同様の処理を行う他、補助記憶装置２４６に記憶されている原稿無し画像データ２４６ａを更新させる。
補助記憶装置２４６は、原稿無し画像データ２４６ａを記憶する。また、補助記憶装置２４６は、ＣＰＵ２４２の指示に応じて、記憶されている原稿無し画像データ２４６ａを更新する。
【００３９】
（動作の説明）
次に、実施の形態２におけるスキャナ２１０の動作を説明する。
図８は、実施の形態２におけるスキャナ２１０の動作を示すフローチャートである。なお、図８において、図５に示されているフローチャートと同様の処理については、図５と同じ符号が付されている。
図８のステップＳ１０からＳ２１の処理は、図５におけるステップＳ１０からＳ２１の処理と同様である。
但し、ステップＳ１５において、警告解除の指示の入力があった場合（Ｓ１５：Ｙｅｓ）には、処理はステップＳ３０に進む。
また、ステップＳ１８では、ＣＰＵ２４２は、補助記憶装置２４６に記憶されている原稿無し画像データ２４６ａと、ステップＳ１７で読み取られた予備読取画像データとを比較する。
さらに、ステップＳ１９の後に、処理は、ステップＳ３１に進む。
【００４０】
ステップＳ３０では、ＣＰＵ２４２は、画像読取部１２２に対して、読取部１３２によって予備読取処理（第２予備読取処理）を行うように指示を行う。画像読取部１２２は、予備読取指示を受けると、読取部１３２にプラテンガラス１２６上の全面の画像データの読み取りを行わせ、読み取られた画像データを、予備読取画像データとしてメモリ１４４に一時保存させる。そして、処理は、ステップＳ１９に進む。
【００４１】
ステップＳ３１では、ＣＰＵ２４２は、メモリ１４４に保存された予備読取画像データを、新しい原稿無し画像データ２４６ａとして、補助記憶装置２４６に記憶された古い原稿無し画像データ２４６ａの代わりに、補助記憶装置２４６に記憶させる。これにより、ＣＰＵ２４２は、補助記憶装置２４６に記憶されている原稿無し画像データ２４６ａを更新させる。
そして、ステップＳ３２で、ＣＰＵ２４２は、更新された原稿無し画像データ２４６ａの画像をディスプレイ１２５に表示させ、予め定められた時間の経過後、図６（Ｂ）に示されているような、再度読取可能状態となったことを示す画面を表示させる。
【００４２】
なお、以上に記載された実施の形態２では、図８のステップＳ３０の後、処理は、ステップＳ１９に進んでいるが、例えば、図８のステップＳ３０の後、処理は、ステップＳ１８に進んでもよい。このようにすることで、警告解除の指示があった場合でも、原稿の有り無しを確認することができる。
【００４３】
以上のように、実施の形態２によれば、使用者が原稿放置の警告解除を行った場合、又は、予備読取処理によって原稿がプラテンガラス１２６上に残ってないと判定された場合に、基準となる原稿無し画像データ２４６ａを更新することができる。これにより、例えば、経年変化によりプラテンガラス１２６や原稿押さえ部材１２７に汚れやキズが発生し、予備読取画像データが、図９（Ａ）に示されている画像データＩＭ３から、図９（Ｂ）に示されている画像データＩＭ４のように変化した場合でも、精度よく原稿の放置状態を検知することができる。
【００４４】
以上に記載された実施の形態１及び２では、本発明を複写装置に適用しているが、このような例に限定されるものではない。例えば、本発明は、画像読取機能のみを保有したスキャナ、ファクシミリ、スキャナとプリンタ等を組み合わせた複合印刷装置といった、画像読取機能を具備する電子機器に適用することができる。
【符号の説明】
【００４５】
１００，２００  複写装置、  １１０，２１０  スキャナ、  １２２  画像読取部、  １２３  コントロールパネル、  １２６  プラテンガラス、  １２７  原稿押さえ部材、  １４１  画像処理部、  １４２，２４２  ＣＰＵ、  １４３  ＲＯＭ、  １４４  メモリ、  １４５  Ｉ／Ｆ部、  １４６，２４６  補助記憶装置、  １４７  タイマ、  １４８  個人認証装置、  １７０  プリンタ。
【図１】
2015026979.tif 000003
【図２】
2015026979.tif 000004
【図３】
2015026979.tif 000005
【図４】
2015026979.tif 000006
【図５】
2015026979.tif 000007
【図６】
2015026979.tif 000008
【図７】
2015026979.tif 000009
【図８】
2015026979.tif 000010
【図９】
2015026979.tif 000011